(57)【要約】【課題】  包装や収納・運搬を従来通りに行えるようにすると共に、家に持ち帰ってからは見掛けを変化させることが出来るような、新規な構造を備えた物品等の収容ケースを提供する。また家に持ち帰って後、タワーや鉄道車両や駅舎や豪華客船などと言った、長大な意匠を有するものを再現して見せてその収容物を引き立てることが出来るような、新規な構造を備えた物品等の収容ケースを提供する。【解決手段】  箱の側壁の延長部を折り返した時に内側となる内蓋と外側となって前記内蓋を包む外蓋とを有し、前記外蓋の下から引き出したり前記外蓋の下へ納めたりすることが出来るような抽出片を備えているものとした。なお外蓋と抽出片とに絵図が描かれており、抽出片を引き出した時に外蓋の絵図と抽出片の絵図とが繋がるように構成することが出来る。【選択図】図１
2012086891.tif 000002
【特許請求の範囲】
【請求項１】
箱の側壁の延長部を折り返した時に内側となる内蓋と外側となって前記内蓋を包む外蓋とを有し、前記外蓋の下から引き出したり前記外蓋の下へ納めたりすることが出来るような抽出片を備えている物品等の収容ケース。
【請求項２】
更に、前記抽出片を延長し得るように設けて成る、請求項１に記載の物品等の収容ケース。
【請求項３】
前記外蓋の下から相対する２方向に引き出したり納めたりすることが出来るような前記抽出片を備えている、請求項１または請求項２に記載の物品等の収容ケース。
【請求項４】
前記外蓋と前記抽出片とに絵図が描かれており、前記抽出片を引き出した時に前記外蓋の絵図と前記抽出片の絵図とが繋がるように構成されている、請求項１または請求項２または請求項３に記載の物品等の収容ケース。
【請求項５】
前記内蓋に平行に設けたガイド溝に前記抽出片の両側に設けた突出片を嵌め合わせることで、前記抽出片が前記内蓋に対してスライド自在となり、前記外蓋の下から引き出したり前記外蓋の下へ納めたりすることが出来るように構成されている、請求項１または請求項２または請求項３に記載の物品等の収容ケース。
【請求項６】
前記抽出片が引き出し易くなるように、前記抽出片に引き手が設けられている、請求項１または請求項２または請求項３に記載の物品等の収容ケース。
【発明の詳細な説明】
【技術分野】
【０００１】  この発明は抽出片を備えて見掛けを変化させることが出来る、新規な構造を備えた物品等の収容ケースに関するものである。例えば長大な意匠を有するモデルを表した物品等の収容ケースでありながら、販売時にはコンパクトにして包装することが可能な包装容器への応用が可能なものである。
【背景技術】
【０００２】  菓子や化粧品などの商品を収容する箱で一般的なものは、箱の側壁の延長部を折り返した時に内側となる内蓋と外側となって前記内蓋を包む外蓋とを有する構成のものであり、底部に付いては上記と同様の構成であったり、ロックボトム構造であったりする。例えば特開２０１０−１５９０６８号の商品収容箱は、フラップの差込片を箱本体内に差し込む際における入れ易さの改善を図るべく、開口部に複数のフラップを有する箱の、一のフラップに付いて、フラップの差込片が自己の付け根から自己の先端までの距離が最も大きな突出部とこの距離が徐々に小さくなるように前記突出部から縁部が傾斜して延在する傾斜部とから成る箱としたものである。このようにフラップ（内蓋）と、差込片を有するフラップ（外蓋）とから構成されている。実登３０８８６３２号の保冷剤用スペース付組立箱も同様にフラップを備えたものである。この他フラップではなく、箱の口に嵌合する蓋を有するものもある。【０００３】  また従来より菓子函としては直方体や立方体などの包装し易いものが多用されて来た。これに対して外観意匠に優れた紙函が各種提案されている。特開２００４−３１４９９６は組み立てや分解を容易にしたハート型を呈する紙函に関するものである。
【先行技術文献】
【特許文献】
【０００４】
【特許文献１】特開２０１０−１５９０６８号公報
【特許文献２】実登３０８８６３２号公報
【特許文献３】特開２００４−３１４９９６号公報
【発明の概要】
【発明が解決しようとする課題】
【０００５】  上述したような箱は、商品を包装するためだけのものであり、これ自体で完結した商品であるため、消費者が包装を解いて商品を出してしまえば不要なものとなっていた。【０００６】  また特開２００４−３１４９９６号は確かに外観意匠では優れてはいるが、複雑形状を呈する他の函体同様、直方体や立方体のものに比べて包装紙による包装が綺麗に出来ないと言う欠点を有する。一方東京タワーのような高い塔や、新幹線などの鉄道車両や、東京駅の駅舎や、世界を巡る豪華客船などのように縦や横に長い建造物をモデルにして、その全体を絵や写真で大きく表現した函体を作った場合には、見本として展示するのはよいとしても、この包装は技術的にも時間的にもコスト的にも困難であり、またこれを購入した人にとってはバッグへの収納や持ち運びが大変であると言う問題がある。従ってこれまでは縦や横に長過ぎる収容ケースと言うものは技術的には作れても現実的には売り場に置くことが出来なかったのである。【０００７】  そこでこの発明は、包装や収納・運搬を従来通りに行えるようにすると共に、家に持ち帰ってからは見掛けを変化させることが出来るような、新規な構造を備えた物品等の収容ケースを提供することを課題とする。または家に持ち帰って後、タワーや鉄道車両や駅舎や豪華客船などと言った長大な意匠を有するものを再現して見せてその収容物を引き立てることが出来るような、新規な構造を備えた物品等の収容ケースを提供することを課題とする。
【課題を解決するための手段】
【０００８】  上記課題は、請求項１の発明によれば、箱の側壁の延長部を折り返した時に内側となる内蓋と外側となって前記内蓋を包む外蓋とを有し、前記外蓋の下から引き出したり前記外蓋の下へ納めたりすることが出来るような抽出片を備えている物品等の収容ケースとすることにより達成される。箱の材質の選択は任意であるから、例えば紙や合成樹脂シートを選択することが出来る。抽出片は外蓋の下に設けられるわけであるが、外蓋側に取り付けたり内蓋側に取り付けたりするなど自由に設計して良い。また抽出片を引き出す構成としては、抽出片のスライド式や回動式が作り込み易いであろう。【０００９】  前記抽出片を外蓋の下から引き出すと、外箱の面積は引き出された抽出片の分だけ増加したことになり、また外箱の見掛けが変化したことになる。請求項２の発明では更に前記抽出片を延長し得るように設けている。従って抽出片を外蓋の下から引き出して更に延長させることが出来る。このようなことを可能にする構成の一例として、抽出片を２つ折りにしたものを上げる。あるいは抽出片を２枚重ねにし且つスライド自在に構成したものを上げる。請求項３の発明は、請求項１や請求項２の発明に関して、前記外蓋の下から相対する２方向に引き出したり納めたりすることが出来るような前記抽出片を備えているものとした点に特徴を有している。従って外蓋の面積はこの両側に引き出された抽出片の分だけ増加したことになる。箱の見掛けも大きく変化させることが出来る。なお２つの抽出片の大きさや形状は同一であっても異なっていても良い。【００１０】  このように見掛けが変化するだけでも興味深いのであるが、請求項４の発明では、前記外蓋と前記抽出片とに絵図が描かれており、前記抽出片を引き出した時に前記外蓋の絵図と前記抽出片の絵図とが繋がるように構成されているものとしている。この時の絵図には上述したようなタワーや鉄道車両や駅舎や豪華客船などの長大な意匠を有する絵図が好ましい。前記抽出片を外蓋の下から引き出すと、抽出片上の絵図が外箱の絵図とが一続きとなってモデルの長大さを再現して見せてインパクトを与えることが出来るのである。なお絵図にはレンチキュラーレンズやホログラムなどを用いた３Ｄ写真としても興趣がある。【００１１】  これに対して包装時には前記抽出片を外蓋の下へ納めることにより、見掛けが変化して一般的な箱の外観に戻り、包装し易い形状に纏めることが出来、持ち運びや収納も容易なものとなる。菓子の土産物などでは包装を行った状態で陳列展示されているが、このような陳列展示に際してもコンパクトである。この纏められた状態が例えば台形状であっても包装には問題がない。またこの状態で箱を保護するスリーブに納めたものとしても良い。或いはまたこの状態で箱を包装紙で包装したものとしても良い。こうしておけば販売時に包装紙による包装の手間を省くことが出来る。なお前記スリーブを用いる場合と同様であるが、展示用に抽出片を引き出した状態の見掛けが大きく変化したものを置いておけば、消費者には分かり易い。【００１２】  ところで、抽出片を前記外蓋の下から引き出したり前記外蓋の下へ納めたりすることが出来るようにする構成としては、請求項５の発明では、前記内蓋に平行��設けたガイド溝に前記抽出片の両側に設けた突出片を嵌め合わせて、前記抽出片が前記内蓋に対してスライド自在となるようにしたものを上げている。ここでは抽出片を内蓋側に取り付けているのであるが、前記ガイド溝を外蓋の内側に設けてここに抽出片をその突出片を嵌め合わせることで取り付ける構成も可能である。その何れにしても、前記突出片がガイド溝をスライドすることによって、抽出片を引き出したり納めたりすることが出来る。【００１３】  さて請求項６の発明は、前記抽出片が引き出し易くなるように、前記抽出片に引き手が設けられているものである。抽出片を外蓋の下に納めた時に、抽出片の一部が外蓋の縁部から出るように構成しても外蓋の下に完全に隠れるように構成しても良い。しかしながら後者の場合には抽出片が外蓋の下に完全に隠れると、次に引き出すのが大変になる可能性がある。そこで抽出片に引き手を設けて、この引き手が外蓋の外に出るようにしておくのである。
【発明の効果】
【００１４】  この発明によれば、包装や収納・運搬は従来通りであるにも拘わらず、家に持ち帰ってからは、抽出片を操作して見掛けを変化させることが出来て興味深い。ここで更に、前記外蓋と前記抽出片とに絵図が描かれており、前記抽出片を引き出した時に前記外蓋の絵図と前記抽出片の絵図とが繋がるように構成したものとすることによって、家に持ち帰ってからはタワーや鉄道車両や駅舎や豪華客船などのような長大な意匠を有するものをワイドに再現して見せて、その収容物を引き立てることが出来ると言う効果を奏する。
【図面の簡単な説明】
【００１５】
【図１】  実施例１の蓋を開けた状態を表す説明図である。
【図２】  この動作状態を表した説明図である。
【図３】  この動作状態を表した説明図である。
【図４】  この使用状態を表した説明図である。
【図５】  実施例２の抽出片２７の説明図である。
【図６】  実施例３の蓋を開けた状態を表した説明図である。
【図７】  この使用状態を表した説明図である。
【図８】  実施例４の動作状態を断面図にて表した説明図である。
【発明を実施するための形態】
【００１６】  以下４つの実施例を図面に基づいて説明するが、この発明はこれ等の実施例にのみ限定されるものではない。
【実施例１】
【００１７】  図１は紙箱の菓子ケース１であって、収容部１０から外蓋１１と右内蓋１３及び左内蓋１５とを開放した状態を平面視したものである。底部１７は所謂ロックボトムである。【００１８】  外蓋１１には、収容部１０の壁面と閉じた右内蓋１３及び左内蓋１５の側縁部との間に挿入して、外蓋１１を閉じるための差込片１２が設けられている。前記右内蓋１３にはその両縁部の近くに、内蓋を開放する方向にガイドスリット１４が設けられている。同様に左内蓋１５にはガイドスリット１６が設けられている。【００１９】  また前記右内蓋１３には、閉じた際に表側となる面に抽出片２がその角部両側に設けたスライド突片２１を前記ガイドスリット１４に填め込むようにして取り付けられている。このスライド突片２１は抽出片２に切込線２０を入れることで形成されている。なお図示の状態では抽出片２は右内蓋１３に重ねられているが、この際に抽出片２は右内蓋１３に隠れる程度の大きさ及び形状とされている。同様に、左内蓋１５には、閉じた際に表側となる面に抽出片２３がその角部両側に設けたスライド突片２５を前記ガイドスリット１６に填め込むようにして取り付けられている。スライド突片２５は抽出片２３に切込線２４を入れることで形成されている。なお抽出片２，２３にはこれを引き出し易くするための摘み２２，２６が設けられている。【００２０】  図２では右内蓋１３、左内蓋１５の順に内蓋を閉じた状態が表されている。外蓋１１は開放されたままである。この状態から左内蓋１５の抽出片２３に付いている摘み２６を引くと、抽出片２３の両側のスライド突片２５，２５が左内蓋１５の両側のガイドスリット１４，１４にガイドされて抽出片２３が左内蓋１５の下から引き出されて来る（図３）。実際には外蓋１１を閉じた状態でこの操作を行うのであるから、抽出片２３は外蓋１１の下から引き出されたように見える。【００２１】  実際の使用に際しては右内蓋１３、左内蓋１５、外蓋１１が全て閉じられた状態から、左内蓋１５の抽出片２３に付いている摘み２６を左方に、右内蓋１３の抽出片２に付いている摘み２２を右方に引くと、これまで外蓋１１しか見えない状態であったものの左右に抽出片２と抽出片２３とが追加されたように見える（図４）。すなわちこの実施例１によれば見掛けの形状が大きく変化すると言う効果を奏するのである。【００２２】  更にこの実施例１では、抽出片２、外蓋１１、抽出片２３に一繋がりの絵図３が印刷されている。従って抽出片２，２３を引き出した時に外蓋１１の絵図と繋がって、ワイドな絵図３となるのである。この絵図には上述のようなタワーや鉄道車両や駅舎や豪華客船などの長大な意匠を有する絵図が好ましいが、この発明では長大な意匠に限定しない。なお絵図３にレンチキュラーレンズやホログラムなどを用いた３Ｄ写真や３Ｄイラストを用いることが可能である。
【実施例２】
【００２３】  上述した実施例１で用いた抽出片２，２３と差し替えて用いることが出来るものを図５に示す。この抽出片２７は、基片２８と折返片２９とを谷折線２００で繋げて成るものであり、通常は折返片２９を谷折線２００で折って基片２８に重ねた状態で、内蓋に隠しておくようにするが、内蓋から引き出した後は折りを戻して拡げるようにする。これにより抽出片２７の見掛けの形状が大きく変化すると共に、基片２８と折返片２９とに一繋がりで描かれた絵図３０がワイドに見られるようになる。【００２４】  なお符号２０１はスライド突片であり、これを以て図示しない左内蓋のガイドスリットに填め込むようにして取り付けられる。前記画柄３０は鎖線で表すように外箱へ、更には右内蓋へ繋がるように表すことが可能である。
【実施例３】
【００２５】  図６は紙箱の菓子ケース４であって、収容部４０から外蓋４１と右フラップ４３及び左フラップ４４とを開放した状態を平面視したものである。底部４５は所謂ロックボトムである。【００２６】  外蓋４１には、収容部４０の壁面と閉じた右フラップ４３及び左フラップ４４の側縁部との間に挿入して、外蓋４１を閉じるための差込片４２が設けられている。また外蓋４１の内側には、１／４円の形状をした回動片５がその回動軸５０を以て、右フラップ４３に近い側の外蓋４１の角近くに回動自在に取り付けられている。【００２７】  このように構成されているため、外蓋４１を閉じた後に回動片５を引くと、それまでは外蓋４１に隠れて見えない状態であった回動片５が回動軸５０を以て回動し、外蓋４１の下から現れて新たに追加されたように見えてくるため、見掛けの形状が大きく変化すると言う効果を奏する（図７）。回動片５の縁を外蓋４１の方向に押すようにすると、今度は回動片５を逆方向に回動させて外蓋４１の下に隠すことが出来る。【００２８】  なお外蓋４１と回動片５とに一繋がりとなる絵柄を印刷するようにしても良い。また回動片５を引き易くするための摘みなどを取り付けるようにしても良い。
【実施例４】
【００２９】  図８は紙箱の化粧品ケース６である。底部がある略方形の収容部６０の内壁にこの収容部６０よりも丈高の内筒６１が填め込まれている。内筒６１の頂部は後述する蓋部６３を被嵌する開口部６２となっている。【００３０】  天部を有する前記蓋部６３はその内側に内蓋６４が填め込まれている。この内蓋６４は後述する抽出片７を納めて抽出片７をスライドさせるための隙間６５を確保するためのものであると同時に、蓋部６３を収容部６０の開口部６２に嵌合する時に開口部６２に突き当てて位置決めを行うためのものである。【００３１】  前記抽出片７は、蓋部６３の天部と内蓋６４との間に出来た隙間６５に蓋部６３の側壁に設けた抽出口６６から出入自在に納められている。なお抽出片７は蓋部６３の中に納め切った状態で僅かに抽出口６６から抽出の端緒となる部位を外に出す程度の大きさを有している。もっとも別途摘みなどを付けるようにすれば、抽出片７を蓋部６３の中に完全に隠すように構成することも可能である。【００３２】  さて蓋部６３の天部の下側に隠されている抽出片７を外に引き出すと、これまでは蓋部６３しか見えない状態であったものの、一側に抽出片７の分だけ拡張されて見掛けの形状が大きく変化したように見える（図８）。これによりインパクトを与えることが出来る。しかしながら抽出片７を蓋部６３の天部の下側に納めることによって、再び見掛けがコンパクトに変化して一般的な箱の外観に戻り、包装し易い形状に纏まり、持ち運びや収納も容易なものとなる。なお【００３３】  このように物品の収容部とこの蓋部とからなり、当該蓋部から引き出したり蓋部へ納めたりすることが出来るような抽出片を備えて成る物品等の収容ケースについてもこの発明の権利範囲内のものであり、更に抽出片を延長し得るように設けたものや、蓋部から相対する２方向に引き出したり納めたりすることが出来るような抽出片を備えているものや、蓋部と抽出片とに絵図が描かれており抽出片を引き出した時に蓋部の絵図と抽出片の絵図とが繋がるように構成されているものや、蓋部内に平行に設けたガイド溝に抽出片の両側に設けた突出片を嵌め合わせて抽出片をスライド自在とする構成や、抽出片を引き出すことがし易いように抽出片に引き手が設けられているものも、この発明の権利範囲内のものである。
【産業上の利用可能性】
【００３４】  この発明は、ケース部分を物品等の収容部として用いるのではなく、ケース部分を基台とするスタンド式の模型や看板などとして活用することが可能である。
【符号の説明】
【００３５】１      菓子ケース
１０    収容部
１１    外蓋
１２    差込片
１３    右内蓋
１４    ガイドスリット
１５    左内蓋
１６    ガイドスリット
１７    底部
２      抽出片
２０    切込線
２１    スライド突片
２２    摘み
２３    抽出片
２４    切込線
２５    スライド突片
２６    摘み
２７    抽出片
２８    基片
２９    折返片
２００  谷折線
２０１  スライド突片
３      絵図
３０    絵図
４      菓子ケース
４０    収容部
４１    外蓋
４２    差込片
４３    右フラップ
４４    左フラップ
４５    底部
５      回動片
５０    回動軸
６      化粧品ケース
６０    収容部
６１    内筒
６２    開口部
６３    蓋部
６４    内蓋
６５    隙間
６６    抽出口
７      抽出片
【図１】
2012086891.tif 000003
【図２】
2012086891.tif 000004
【図３】
2012086891.tif 000005
【図４】
2012086891.tif 000006
【図５】
2012086891.tif 000007
【図６】
2012086891.tif 000008
【図７】
2012086891.tif 000009
【図８】
2012086891.tif 000010